(57)【要約】【課題】液晶等の電気光学装置において、高い放熱性を有し、高品質な画像を表示する。【解決手段】液晶装置１は、液晶層５０を挟持する一対のＴＦＴアレイ基板１０及び対向基板２０と、ＴＦＴアレイ基板１０及び対向基板２０の液晶層５０に対向する面とは反対側の面に設けられた透明基板４０１及び４０２を有する液晶パネル５００と、液晶パネル５００の周縁部側から液晶パネル５００を包囲する実装ケース６０１とを備える。透明基板４０１及び４０２は、実装ケース６０１に包囲された部分から実装ケース６０１の外側に向かって延在する延在部４０１ａ及び４０２ａを有する。【選択図】図４
2007279626.tif 000002
【特許請求の範囲】
【請求項１】
電気光学物質を挟持する一対の第１及び第２基板と、前記第１及び第２基板の少なくと
も一方の基板の前記電気光学物質に対向する面とは反対側の面に設けられた透明基板を有
する電気光学装置本体と、
該電気光学装置本体の周縁部側から前記電気光学装置本体を包囲するケース部と
を備え、
前記透明基板は、前記ケース部に包囲された部分から前記ケース部の外側に向かって延
在する延在部を有する
ことを特徴とする電気光学装置。
【請求項２】
前記ケース部は、前記電気光学装置本体の表示領域に対応する窓部を有することを特徴
とする請求項１に記載の電気光学装置。
【請求項３】
前記透明基板は、少なくとも前記表示領域に重なるように設けられることを特徴とする
請求項２に記載の電気光学装置。
【請求項４】
前記延在部の幅は、前記延在部が延在する方向に対する前記窓部の幅よりも広く、且つ
、前記延在部が延在する方向に対する前記ケース部の幅よりも狭いことを特徴とする請求
項２又は３に記載の電気光学装置。
【請求項５】
前記延在する方向は、前記窓部の一辺に沿った方向であり、
前記延在部は、前記窓部が前記延在する方向に沿って延長されてなす領域を含むように
延在する
ことを特徴とする請求項４に記載の電気光学装置。
【請求項６】
前記透明基板は、前記少なくとも一方の基板に密着していることを特徴とする請求項１
から５のいずれか一項に記載の電気光学装置。
【請求項７】
前記透明基板は、サファイアを含んでなることを特徴とする請求項１から６に記載の電
気光学装置。
【請求項８】
前記延在部に設けられた放熱フィンを備えたことを特徴とする請求項１から６のいずれ
か一項に記載の電気光学装置。
【請求項９】
前記第１基板の一辺に沿って、前記第１基板上に設けられた外部回路接続端子と、
該外部回路接続端子に接続され、前記電気光学装置本体に電気信号を供給する前記フレ
キシブル配線基板と
を備え、
前記延在部は、前記一辺に対向する他辺側に延在する
ことを特徴とする請求項１から８のいずれか一項に記載の電気光学装置。
【請求項１０】
前記延在部に貼り付けられた導電性テープを備えたことを特徴とする請求項１から９の
いずれか一項に記載の電気光学装置。
【請求項１１】
前記延在部に設けられると共に前記延在部を冷却する冷却手段を備えたことを特徴とす
る請求項１から１０のいずれか一項に記載の電気光学装置。
【請求項１２】
電気光学物質を挟持する一対の第１及び第２基板を有する電気光学装置本体と、
該電気光学装置本体の周縁部側から前記電気光学装置本体を包囲するケース部と
を備え、
前記第１及び第２基板の少なくとも一方の基板は、前記ケース部に包囲された部分から
前記ケース部の外側に向かって延在する延在部を有する
ことを特徴とする電気光学装置。
【請求項１３】
請求項１から請求項１２のいずれか一項に記載の電気光学装置を具備してなる電子機器
。
【発明の詳細な説明】
【技術分野】
【０００１】
本発明は、例えば液晶プロジェクタのライトバルブとして用いられる液晶パネル等の電
気光学装置、及び該電気光学装置を備えた、例えば液晶プロジェクタ等の電子機器の技術
分野に関する。
【背景技術】
【０００２】
この種の電気光学装置の一例である液晶パネルを液晶プロジェクタにおけるライトバル
ブとして用いる場合、スクリーン上に拡大投射を行うために、液晶パネルには、光源から
の強力な光源光が集光された状態で入射する。このように強力な光源光が入射すると、液
晶パネルの温度は上昇し、液晶パネル内において一対の透明基板間に挟持されている液晶
の温度も上昇して、該液晶の特性劣化を招く。また特に光源光にむらがあった場合には、
部分的に液晶パネルが加熱されて所謂ホットスポットが発生して、液晶の透過率のムラが
できて投射画像の画質が劣化する。このため、液晶パネルが収容される実装ケースを冷却
することで、液晶パネルの放熱が図られることが多い。
【０００３】
また、ライトバルブの表面にごみや埃等（以下、単に「粉塵」という。）が付着すると
、映写幕上にその粉塵の像もまた投影されてしまうことで、画像の品質を低下させる可能
性がある。このため、例えば特許文献１では、液晶パネルを構成する基板の外側表面に帯
電防止層を設けることで、粉塵の付着を防止する技術が提案されている。
【０００４】
【特許文献１】特開２００２−１４４２１号公報
【発明の開示】
【発明が解決しようとする課題】
【０００５】
しかしながら、実装ケースを冷却することによって、液晶パネルの放熱を行う場合には
、実装ケースを介して間接的に液晶パネルの放熱が行われることになるので、放熱効率を
向上させることが困難であるという技術的問題点がある。
【０００６】
本発明は、例えば上述した問題点に鑑みなされたものであり、高い放熱性を有し、高品
質な画像を表示可能な電気光学装置、及び該電気光学装置を備えた電子機器を提供するこ
とを課題とする。
【課題を解決するための手段】
【０００７】
本発明に係る第１の電気光学装置は上記課題を解決するために、電気光学物質を挟持す
る一対の第１及び第２基板と、前記第１及び第２基板の少なくとも一方の基板の前記電気
光学物質に対向する面とは反対側の面に設けられた透明基板を有する電気光学装置本体と
、該電気光学装置本体の周縁部側から前記電気光学装置本体を包囲するケース部とを備え
、前記透明基板は、前記ケース部に包囲された部分から前記ケース部の外側に向かって延
在する延在部を有する。
【０００８】
本発明に係る第１の電気光学装置では、一対の第１及び第２基板は、例えば液晶等の電
気光学物質を挟持しており、相互に貼り合わせられることによって液晶パネル等の電気光
学装置本体を構成する。例えば、第１基板上には画素電極が設けられ、第２基板上には対
向電極が画素電極に対向して設けられる。電気光学装置の動作時には、画素電極及び対向
電極間の液晶等の電気光学物質に電圧が印加され、表示領域において画像表示が行われる
。このような電気光学装置本体は、例えば光源から入射する光に応じて表示光を、透過又
は反射によって出射できる。このような電気光学装置としては、例えば投射型表示装置に
おけるライトバルブとして実装される液晶装置が挙げられる。
【０００９】
電気光学装置本体は、その周縁部側からケース部によって包囲された状態で、ケース部
に例えば接着剤によって接着されることによって固定される。よって、電気光学装置本体
は、ケース部によって、その周縁部側から包囲される状態となる。
【００１０】
本発明では特に、第１及び第２基板の少なくとも一方の基板の電気光学物質に対向する
面とは反対側の面に透明基板が設けられており、該透明基板は、ケース部に包囲された部
分からケース部の外側に向かって延在する延在部を有する。具体的には、透明基板は、例
えばサファイアガラス等の放熱性の高い透明材料からなり、第１及び第２基板の少なくと
も一方の基板の例えば液晶等の電気光学物質に対向する面とは反対側の面に、例えば密着
して設けられる。透明基板は、例えば電気光学装置本体の表示領域に重なるように設けら
れると共に、ケース部の外側に延在する延在部を有している。よって、当該電気光学装置
の動作時に発生する熱を、透明基板を介して、電気光学装置本体から装置外部に速やかに
逃がすことが可能であり、温度上昇に伴って生じる電気光学装置の表示性能の低下を効果
的に抑制できる。即ち、電気光学装置本体の一部を構成する透明基板の延在部を、例えば
装置外部に設けられた冷却手段を用いて冷却することによって、例えばケース部を冷却す
ることにより電気光学装置本体を冷却する場合と比較して、電気光学装置本体の温度上昇
を効果的に抑制できる。つまり、電気光学装置本体の一部を構成する透明基板がケース部
の外側に延在された延在部によって、電気光学装置本体の放熱性が高められている。言い
換えれば、電気光学装置本体の一部を構成する部材である透明基板そのものを、その延在
部を介して冷却することができるので、電気光学装置本体を効率的に冷却することができ
る。
【００１１】
更に、透明基板は、第１及び第２基板の少なくとも一方の基板の電気光学物質に対向す
る面とは反対側の面に設けられるので、防塵用基板としても機能することができる（言い
換えれば、透明基板は、防塵用基板と兼用することができる）。即ち、第１又は第２基板
上に直接に粉塵が付着するのを防止できると共に、該透明基板上に仮に粉塵が付着したと
しても、該透明基板が所定の厚さを有することにより、画像上に粉塵の像が投影されると
いうような事態を未然に回避することができる。
【００１２】
以上説明したように、本発明に係る第１の電気光学装置によれば、電気光学装置本体の
一部を構成する部材である透明基板そのものを、その延在部を介して冷却することができ
るので、電気光学装置本体を効率的に冷却することができる。よって、動作時における温
度上昇を効果的に抑制できるため、長期間に亘って高品位の表示性能を維持できる信頼性
に優れた電気光学装置を提供できる。
【００１３】
本発明に係る第１の電気光学装置の一態様では、前記ケース部は、前記電気光学装置本
体の表示領域に対応する窓部を有する。
【００１４】
この態様によれば、電気光学装置本体の周縁部を不透明なケース部によって保護しつつ
、電気光学装置本体の表示領域から光の入射或いは出射を可能とする。よって、電気光学
装置本体の表示性能を低下させることなく、当該電気光学装置本体の信頼性を高めること
が可能である。
【００１５】
上述したケース部が窓部を有する態様では、前記透明基板は、少なくとも前記表示領域
に重なるように設けてもよい。
【００１６】
この場合には、光が入射或いは出射される表示領域から発生する熱を、透明基板を介し
て装置外部に、より一層、速やかに逃がすことができる。即ち、電気光学装置本体の放熱
性を、より一層、高めることができる。
【００１７】
上述したケース部が窓部を有する態様では、前記延在部の幅は、前記延在部が延在する
方向に対する前記窓部の幅よりも広く、且つ、前記延在部が延在する方向に対する前記ケ
ース部の幅よりも狭くなるように構成してもよい。
【００１８】
この場合には、延在部の幅が窓部の幅よりも広いので、電気光学装置本体の放熱性を十
分に高めることができる。更に、延在部の幅が前記ケース部の幅よりも狭いので、例えば
投射型表示装置におけるライトバルブとして実装される際にも、容易に実装可能である。
【００１９】
上述した延在部の幅が窓部の幅よりも広く且つケース部の幅よりも狭い態様では、前記
延在する方向は、前記窓部の一辺に沿った方向であり、前記延在部は、前記窓部が前記延
在する方向に沿って延長されてなす領域を含むように延在してもよい。
【００２０】
この態様によれば、窓部が延在部の延在する方向に沿って延長されてなす領域を含むよ
うに延在部が形成される。言い換えれば、延在部における、延在する方向に対する幅を規
定する二辺は、窓部における、延在部が延在する方向に対する幅を規定する二辺の各々の
延長線の外側に位置する。よって、延在部によって、窓部に対応する表示領域の全面を殆
ど或いは完全に均一に冷却することができる。
【００２１】
本発明に係る第１の電気光学装置の他の態様では、前記透明基板は、前記少なくとも一
方の基板に密着している。
【００２２】
この態様によれば、電気光学装置の動作時に発生する熱を、透明基板を介して、電気光
学装置本体から装置外部に、より一層、速やかに逃がすことができる。
【００２３】
本発明に係る第１の電気光学装置の他の態様では、前記透明基板は、サファイアを含ん
でなる。
【００２４】
この態様によれば、透明基板が比較的熱伝導率の大きいサファイアを含んでなることか
ら、電気光学装置本体の放熱性を、より一層、高めることができる。尚、本発明において
は、透明基板を、サファイアを含んでなるように構成するほか、より一般的な材料である
石英、ネオセラム等で構成してもよい。
【００２５】
本発明に係る第１の電気光学装置の他の態様では、前記延在部に設けられた放熱フィン
を備える。
【００２６】
この態様によれば、例えばアルミニウム等の金属材料等からなる放熱フィンが、透明基
板の延在部の表面に密着して取り付けられる。よって、放熱フィンによって、透明基板の
延在部の放熱性を高めることができる。従って、電気光学装置本体の放熱性を、より一層
、高めることができる。
【００２７】
本発明に係る第１の電気光学装置の他の態様では、前記第１基板の一辺に沿って、前記
第１基板上に設けられた外部回路接続端子と、該外部回路接続端子に接続され、前記電気
光学装置本体に電気信号を供給する前記フレキシブル配線基板とを備え、前記延在部は、
前記一辺に対向する他辺側に延在する。
【００２８】
この態様によれば、透明基板の延在部は、電気光学装置本体におけるフレキシブル配線
基板が取り付けられる側とは反対側に向かって延在する。即ち、透明基板の延在部とフレ
キシブル配線基板とは電気光学装置本体に対して反対側に配置される。よって、フレキシ
ブル配線基板の配置を妨げることなく、透明基板の延在部を設けることができる。
【００２９】
本発明に係る第１の電気光学装置の他の態様では、前記延在部に貼り付けられた導電性
テープを備える。
【００３０】
この態様によれば、例えば銅、アルミニウム等の金属を含む、熱伝導率の高い導電性テ
ープが、透明基板の延在部の表面に貼り付けられる。よって、導電性テープによって、透
明基板の延在部の放熱性に高めることができる。従って、電気光学装置本体の放熱性を、
より一層、高めることができる。
【００３１】
本発明に係る第１の電気光学装置の他の態様では、前記延在部に設けられると共に前記
延在部を冷却する冷却手段を備える。
【００３２】
この態様によれば、例えばペルチェ素子等の冷却手段が延在部の表面に設けられる。よ
って、透明基板の延在部を、より一層、効率的に冷却することができる。従って、電気光
学装置本体の放熱性を、より一層、高めることができる。
【００３３】
本発明に係る第２の電気光学装置の他の態様では、電気光学物質を挟持する一対の第１
及び第２基板を有する電気光学装置本体と、該電気光学装置本体の周縁部側から前記電気
光学装置本体を包囲するケース部とを備え、前記第１及び第２基板の少なくとも一方の基
板は、前記ケース部に包囲された部分から前記ケース部の外側に向かって延在する延在部
を有する。
【００３４】
本発明の第２の電気光学装置によれば、その動作時には、上述した本発明の第１の電気
光学装置と概ね同様に、表示領域において画像表示が行われる。
【００３５】
本発明では特に、第１及び第２基板の少なくとも一方の基板は、ケース部に包囲された
部分からケース部の外側に向かって延在する延在部を有する。よって、当該電気光学装置
の動作時に発生する熱を、第１及び第２基板の少なくとも一方の基板を介して、電気光学
装置本体から装置外部に速やかに逃がすことが可能であり、温度上昇に伴って生じる電気
光学装置の表示性能の低下を効果的に抑制できる。即ち、電気光学装置本体の一部を構成
する第１或いは第２基板の延在部を、例えば装置外部に設けられた冷却手段を用いて冷却
することによって、例えばケース部を冷却することにより電気光学装置本体を冷却する場
合と比較して、電気光学装置本体の温度上昇を効果的に抑制できる。つまり、電気光学装
置本体の一部を構成する第１或いは第２基板がケース部の外側に延在された延在部によっ
て、電気光学装置の放熱性が高められている。言い換えれば、電気光学装置本体の一部を
構成する部材である第１或いは第２基板そのものを、その延在部を介して冷却することが
できるので、電気光学装置本体を効率的に冷却することができる。
【００３６】
本発明に係る電子機器は上記課題を解決するために、上述した本発明に係る第１又は第
２の電気光学装置（但し、各種態様を含む）を具備してなる。
【００３７】
本発明に係る電子機器によれば、上述した本発明に係る第１又は第２の電気光学装置を
具備してなるので、高品位の表示が可能であり、且つ信頼性に優れた投射型表示装置、携
帯電話、電子手帳、ワードプロセッサ、ビューファインダ型又はモニタ直視型のビデオテ
ープレコーダ、ワークステーション、テレビ電話、ＰＯＳ端末、タッチパネルなどの各種
電子機器を実現できる。また、本発明に係る電子機器として、例えば電子ペーパなどの電
気泳動装置等も実現することが可能である。
【００３８】
本発明の作用及び他の利得は次に説明する実施するための最良の形態から明らかにされ
る。
【発明を実施するための最良の形態】
【００３９】
本発明の実施形態について図を参照して説明する。
＜第１実施形態＞
（電子機器）
先ず、本実施形態に係る電子機器の構成について、図１を参照して説明する。ここでは
、本発明に係る電子機器として、投射型液晶プロジェクタを例にとる。ここに図１は、本
実施形態に係る投射型液晶プロジェクタの図式的断面図である。本実施形態に係る投射型
液晶プロジェクタは、本発明に係る電気光学装置の一例たる液晶ライトバルブが３枚用い
られてなる複板式カラープロジェクタとして構築されている。
【００４０】
図１において、液晶プロジェクタ１１００は、夫々ＲＧＢ用の液晶ライトバルブ１００
Ｒ、１００Ｇ及び１００Ｂの３枚を用いた複板式カラープロジェクタとして構築されてい
る。
【００４１】
液晶プロジェクタ１１００では、メタルハライドランプ等の白色光源のランプユニット
１１０２から投射光が発せられると、３枚のミラー１１０６及び２枚のダイクロイックミ
ラー１１０８によって、ＲＧＢの３原色に対応する光成分Ｒ、Ｇ及びＢに分けられ、各色
に対応する液晶ライトバルブ１００Ｒ、１００Ｇ及び１００Ｂに夫々導かれる。この際特
にＢ光は、長い光路による光損失を防ぐために、入射レンズ１１２２、リレーレンズ１１
２３及び出射レンズ１１２４からなるリレーレンズ系１１２１を介して導かれる。そして
、液晶ライトバルブ１００Ｒ、１００Ｇ及び１００Ｂにより夫々変調された３原色に対応
する光成分は、ダイクロイックプリズム１１１２により合成された後、投射レンズ１１１
４を介してスクリーン１１２０にカラー映像として投射される。
【００４２】
液晶ライトバルブ１００は、後述の如きアクティブマトリクス駆動方式の液晶装置が使
用される。
【００４３】
また、この液晶プロジェクタ１１００には、液晶ライトバルブ１００Ｒ、１００Ｇ及び
１００Ｂに冷却風を送るためのシロッコファン１３００が設けられている。このシロッコ
ファン１３００は、その側面に複数のブレード１３０１を備えた略円筒形状の部材を含ん
でおり、該円筒形状の部材がその軸を中心として回転することで前記ブレード１３０１が
風を生じさせるようになっている。尚、このような原理から、シロッコファン１３００で
作り出される風は、らせん状に渦巻いたものとなる。このような風は、図１には図示され
ない風路を通じて各液晶ライトバルブ１００Ｒ、１００Ｇ及び１００Ｂに送給され、各液
晶ライトバルブ１００Ｒ、１００Ｇ及び１００Ｂの近傍に設けられた吹き出し口１００Ｒ
Ｗ、１００ＧＷ及び１００ＢＷから、液晶ライトバルブ１００Ｒ、１００Ｇ及び１００Ｂ
の夫々に対して送り出されるようになっている。
【００４４】
以上説明した構成においては、液晶ライトバルブ１００Ｒ、１００Ｇ及び１００Ｂの各
実装ケースは、ダイクロイックプリズム１１１２の３つの側面に夫々付設されている。そ
の各実装ケースからは、内部で液晶装置と接続されたフレキシブル配線基板（以下、適宜
「ＦＰＣ」と称す）が引き出されている。引き出されたＦＰＣの各端部は、ダイクロイッ
クプリズム１１１２の上面側或いは下面側に曲げられて、外部コネクタに接続される。
【００４５】
また、このような液晶プロジェクタ１１００の駆動時には、強力な光源たるランプユニ
ット１１０２からの投射光により、液晶ライトバルブ１００において温度が上昇する。こ
の際、過度に温度が上昇すると、液晶ライトバルブ１００内の液晶が劣化したり、光源光
のむらによる部分的な液晶パネルの加熱によるホットスポットの出現により透過率にムラ
が生じたりする。
【００４６】
そこで、本実施形態では特に、液晶ライトバルブ１００を以下のように構成し、その温
度上昇を効率的に抑制する。
【００４７】
（電気光学装置本体の構成）
次に、本実施形態に係る電気光学装置が備える電気光学装置本体の構成について、図２
及び図３を参照して説明する。ここでは、本発明に係る電気光学装置として、駆動回路内
蔵型のＴＦＴアクティブマトリクス駆動方式の液晶装置を例にとる。本実施形態に係る液
晶装置は、上述した液晶プロジェクタ１１００における液晶ライトバルブ１００Ｒ、１０
０Ｇ、１００Ｂとして使用されるものである。本実施形態に係る液晶装置は、本発明に係
る「電気光学装置本体」の一例としての液晶パネルが実装ケースに収容されてなる。ここ
に図２は、ＴＦＴアレイ基板をその上に形成された各構成要素と共に対向基板の側から見
た液晶パネルの平面図であり、図３は、図２のＨ−Ｈ´線断面図である。
【００４８】
図２及び図３において、液晶パネル５００は、ＴＦＴアレイ基板１０、対向基板２０、
シール材５２、液晶層５０、並びに透明基板４０１及び４０２を備えている。ＴＦＴアレ
イ基板１０と対向基板２０とは、互いに対向配置されている。ＴＦＴアレイ基板１０と対
向基板２０との間に液晶層５０が封入されており、ＴＦＴアレイ基板１０と対向基板２０
とは、複数の画素が配置された画像表示領域３０ａの周囲に位置するシール領域に設けら
れたシール材５２により相互に接着されている。シール材５２は、両基板を貼り合わせる
ための、例えば紫外線硬化樹脂、熱硬化樹脂等からなり、製造プロセスにおいてＴＦＴア
レイ基板１０上に塗布された後、紫外線照射、加熱等により硬化させられたものである。
また、シール材５２中には、ＴＦＴアレイ基板１０と対向基板２０との間隔（基板間ギャ
ップ）を所定値とするためのグラスファイバ或いはガラスビーズ等のギャップ材が散布さ
れている。即ち、本実施形態の液晶装置は、プロジェクタのライトバルブ用として小型で
拡大表示を行うのに適している。
【００４９】
シール材５２が配置されたシール領域の内側に並行して、複数の画素が配列されてなる
画像表示領域３０ａの額縁領域を規定する遮光性の額縁遮光膜５３が、対向基板２０側に
設けられている。但し、このような額縁遮光膜５３の一部又は全部は、ＴＦＴアレイ基板
１０側に内蔵遮光膜として設けられてもよい。
【００５０】
画像表示領域３０ａの周辺に広がる周辺領域（本発明に係る「周縁部」に該当する）の
うち、シール材５２が配置されたシール領域の外側に位置する領域には、データ線駆動回
路１０１及び外部回路接続端子１０２がＴＦＴアレイ基板１０の一辺に沿って設けられて
いる。この一辺に沿ったシール領域よりも内側に、サンプリング回路７が額縁遮光膜５３
に覆われるようにして設けられている。また、走査線駆動回路１０４は、この一辺に隣接
する２辺に沿い、且つ、前記額縁遮光膜５３に覆われるようにして設けられている。
【００５１】
ＴＦＴアレイ基板１０上には、対向基板２０の４つのコーナー部に対向する領域に、両
基板間を上下導通材１０７で接続するための上下導通端子１０６が配置されている。これ
らにより、ＴＦＴアレイ基板１０と対向基板２０との間で電気的な導通をとることができ
る。
【００５２】
ＴＦＴアレイ基板１０上には、外部回路接続端子１０２と、データ線駆動回路１０１、
走査線駆動回路１０４、上下導通端子１０６等とを電気的に接続するための引回配線９０
が形成されている。
【００５３】
図３において、ＴＦＴアレイ基板１０上には、画素スイッチング用のＴＦＴや走査線、
データ線等の配線が形成された後の画素電極９ａ上に、図示しない配向膜が形成されてい
る。他方、対向基板２０上には、対向電極２１の他、格子状又はストライプ状の遮光膜２
３、更には最上層部分に図示しない配向膜が形成されている。また、液晶層５０は、例え
ば一種又は数種類のネマティック液晶を混合した液晶からなり、これら一対の配向膜間で
、所定の配向状態をとる。
【００５４】
尚、図２及び図３に示したＴＦＴアレイ基板１０上には、これらのデータ線駆動回路１
０１、走査線駆動回路１０４等に加えて、複数のデータ線に所定電圧レベルのプリチャー
ジ信号を画像信号に先行して各々供給するプリチャージ回路、製造途中や出荷時の当該電
気光学装置の品質、欠陥等を検査するための検査回路等を形成してもよい。
【００５５】
図２及び図３において、透明基板４０１は、例えばサファイアガラス等からなる透明な
ガラス基板である。透明基板４０１は、ＴＦＴアレイ基板１０の液晶層５０に対向する面
とは反対側の面（即ち、図３中、下側の面）の全面に貼り付けられており（図４参照）、
ＴＦＴアレイ基板１０の外部回路接続端子１０２が設けられた一辺に対向する他辺側に延
在する延在部４０１ａを有している。透明基板４０２は、透明基板４０１と同様に、例え
ばサファイアガラス等からなる透明なガラス基板である。透明基板４０２は、対向基板２
０の液晶層５０に対向する面とは反対側の面の全面に貼り付けられており（図４参照）、
ＴＦＴアレイ基板１０の外部回路接続端子１０２が設けられた一辺に対向する他辺側に延
在する延在部４０２ａを有している。
【００５６】
（電気光学装置の構成）
次に、本実施形態に係る電気光学装置の構成について、図４及び図５を参照して説明す
る。ここに図４は、液晶パネル及び実装ケースを備える液晶装置の分解斜視図である。図
５は、液晶装置の平面図である。
【００５７】
図４及び図５に示すように、液晶装置１は、以上のように構成された液晶パネル５００
が、本発明に係る「ケース部」の一例としての実装ケース６０１に収容されてなる。液晶
装置１は、例えば、上述の液晶プロジェクタ１１００が備えるライトバルブとして用いら
れる。
【００５８】
図４において、液晶装置１は、液晶パネル５００及び実装ケース６０１を備えている。
【００５９】
液晶パネル５００は、図２及び図３を参照して説明した形態を有しており、外部回路接
続端子１０２には、ＦＰＣ５０１が接続されている。更に、液晶パネル５００の外表面に
は、反射防止板等の光学部材が付設されている。但し、偏光板や位相差板等は、液晶パネ
ル５００の外表面に付設されてもよいが、液晶プロジェクタ１１００の光学系が備えてい
てもよい。
【００６０】
図４に示すように、実装ケース６０１は、液晶パネル５００を収容するフレーム６１０
と、フレーム６１０に被さるカバー部材６２０とからなる。カバー部材６２０は、両側縁
のフック６２７をフレーム６１０の側面に形成された爪部６１７に引っ掛けることによっ
て、フレーム６１０と組み合せられている。
【００６１】
液晶パネル５００は、フレーム６１０に透明基板４０２側（即ち、対向基板２０側）が
面する向きに収容され、透明基板４０１側（即ち、ＴＦＴアレイ基板１０側）の外表面を
カバー部材６２０で覆われている。即ち、液晶装置１は、フレーム６１０の側から光が入
射し、液晶パネル５００を透過して、カバー部材６２０の側から出射するということを前
提としている（図１において、ダイクロイックプリズム１１１２には、フレーム６１０で
はなくカバー部材６２０が対向していることになる）。液晶パネル５００は、その周縁部
側からフレーム６１０によって包囲された状態で、該フレーム６１０に接着剤によって接
着されることによって固定されて、フレーム６１０内に収容される。ここで、本実施形態
では、フレーム６１０には、透明基板４０１の延在部４０１ａ（及び透明基板４０２の延
在部４０２ａ）に対応して切り欠かれた切欠部６１９が形成されている。よって、液晶パ
ネル５００は、フレーム６１０によって、その周縁部側から包囲されると共に延在部４０
１ａ及び４０２ａがフレーム６１０の外側に位置する状態となる。尚、このように実装ケ
ース６０１内に収容された状態で、液晶パネル５００における、画像表示領域３０ａの周
辺に位置する周辺領域は、フレーム６１０によって覆われている。このため、フレーム６
１０は、当該周辺領域における光抜けを防止し、或いは周辺領域から画像表示領域３０ａ
内に迷光が進入するのを防止する遮光機能を有している。更に、接着剤としては、空気よ
りも熱伝導性に優れた接着剤が用いられていてもよい。
【００６２】
カバー部材６２０は、開口部として窓部６２５が設けられた額縁状の本体と、本体の両
脇に、フック６２７とを備えている。窓部６２５は、液晶パネル５００の画像表示領域３
０ａ（図２参照）から射出される光を取り出すために、画像表示領域３０ａと対向するよ
うに開口されている。
【００６３】
図５に示すように、フレーム６１０は、本体部６１３及び爪部６１７から構成されてい
る。
【００６４】
図５において、本体部６１３は、液晶パネル５００の形状に合わせ、言わば内側をくり
抜かれたように成形された、窓部６１６を備えている。窓部６１６は、収容された液晶パ
ネル５００の画像表示領域３０ａ（図２参照）に光を透過させるために、画像表示領域３
０ａと対向するように開口されている。このため、図１に示した液晶プロジェクタ１１０
０内のランプユニット１１０２から発せられた光は、窓部６１６を通過して液晶パネル５
００に入射可能となる。
【００６５】
図５において、本体部６１３の四隅には、取り付け穴６１５が設けられている。取り付
け穴６１５は、当該実装ケースに収容された液晶パネル５００を、図１に示した如き液晶
プロジェクタ１１００内に取り付けする際に利用される。即ち、実装ケースに収容された
液晶パネル５００（即ち、液晶装置１）は、取り付け穴６１５を貫通するネジを用いて液
晶プロジェクタ１１００にネジ止めすることにより、液晶プロジェクタ１１００内に取り
付けられる。
【００６６】
次に、本実施形態に係る電気光学装置の動作について、図２から図６を参照して説明す
る。ここに図６は、図１に示した液晶プロジェクタの液晶ライトバルブの拡大斜視図であ
る。
【００６７】
図６に示すように、液晶装置１は、上述の如き構成をとることで、図１に示した如き液
晶プロジェクタ１１００において液晶ライトバルブ１００Ｒ、１００Ｇ及び１００Ｂとし
て用いられる際には、シロッコファン１３００から送られてきた冷却風ＷＤ（図６中、矢
印線ＷＤを参照）が、実装ケース６０１の外側表面だけでなく、延在部４０１ａ及び４０
２ａにあたることになる。尚、図１を参照して上述したように、シロッコファン１３００
で作り出される冷却風ＷＤは、吹き出し口１００ＲＷ、１００ＧＷ及び１００ＢＷから、
液晶ライトバルブ１００Ｒ、１００Ｇ及び１００Ｂのそれぞれに対して送り出されるよう
になっている。
【００６８】
即ち、図３から図６において、液晶装置１（即ち、液晶ライトバルブ１００Ｒ、１００
Ｇ及び１００Ｂ）は、その動作時には、実装ケース６０１の外側表面だけでなく、延在部
４０１ａ及び４０２ａが冷却されることになる。そのため、液晶装置１が備える液晶パネ
ル５００は、効果的に冷却される。より具体的には、延在部４０１ａ及び４０２ａは、そ
れぞれＴＦＴアレイ基板１０及び対向基板２０に貼り付けられた透明基板４０１及び４０
２が延在してなるものである。よって、延在部４０１ａ及び４０２ａを冷却することによ
り、液晶パネル５００の一部を構成する透明基板４０１及び４０２を直接的に冷却するこ
とができる。従って、液晶装置１の動作時に、強力な光源たるランプユニット１１０２か
らの投射光により、ＴＦＴアレイ基板１０、対向基板２０、透明基板４０１及び４０２等
の画像表示領域３０ａに発生する熱を、透明基板４０１及び４０２を介して、液晶パネル
５００から装置外部に速やかに逃がすことが可能となる。言い換えれば、液晶装置１の外
部に設けられたシロッコファン１３００からの冷却風ＷＤによって、液晶パネル５００の
一部を構成する透明基板４０１及び４０２を、その延在部４０１ａ及び４０２ａを介して
、直接的に冷却できる。よって、仮に実装ケース６０１を介して液晶パネル５００を間接
的にのみ冷却する場合と比較して、液晶パネル５００の温度上昇を効果的に抑制できる。
従って、温度上昇に伴って生じる液晶装置１の表示性能の低下を効果的に抑制できる。
【００６９】
更に、図３及び図４を参照して上述したように、透明基板４０１及び４０２はそれぞれ
、ＴＦＴアレイ基板１０及び対向基板２０の液晶層５０に対向する面とは反対側の面に設
けられるので、防塵用基板としても機能することができる。即ち、ＴＦＴアレイ基板１０
又は対向基板２０上に直接に粉塵が付着するのを防止できると共に、透明基板４０１及び
４０２上に仮に粉塵が付着したとしても、透明基板４０１及び４０２が所定の厚さを有す
ることにより、画像上に粉塵の像が投影されるというような事態を未然に回避することが
できる。
【００７０】
加えて、図２から図４において、本実施形態では特に、透明基板４０１及び４０２は、
画像表示領域３０ａに重なるように設けられている。よって、画像表示領域３０ａに光が
入射或いは出射されることにより発生する熱を、透明基板４０１及び４０２を介して装置
外部に、より一層効率的に逃がすことができる。
【００７１】
図４及び図５において、本実施形態では特に、延在部４０１ａ及び４０２ａのそれぞれ
の幅Ｗ１及びＷ２は、延在部４０１及び４０２が延在する方向に対する窓部６１６及び６
２５のそれぞれの幅Ｗ３及びＷ４よりも広く、且つ、延在部４０１ａ及び４０２ａが延在
する方向に対する実装ケース６０１の幅Ｗ５よりも狭くなるように構成されている。よっ
て、延在部４０１ａ及び４０２ａのそれぞれの幅Ｗ１及びＷ２が窓部６１６及び６２５の
それぞれの幅Ｗ３及びＷ４よりも広いので、液晶パネル５００の放熱性を十分に高めるこ
とができる。更に、延在部４０１及び４０２のそれぞれの幅Ｗ１及びＷ２が実装ケース６
０１の幅Ｗ５よりも狭いので、上述した液晶プロジェクタ１１００における液晶ライトバ
ルブ１００Ｒ、１００Ｇ及び１００Ｂとして液晶装置１が実装される際にも、容易に実装
可能である。
【００７２】
また、本実施形態では特に、延在部４０１ａ及び４０２ａは、窓部６１６及び６２５の
一辺に沿って延在している。更に、延在部４０１ａ及び４０２ａは、窓部６１６及び６２
５が延在部４０１ａ及び４０２ａの延在する方向に沿って延長されてなす領域を含むよう
に延在している。言い換えれば、延在部４０１ａ及び４０２ａの各々における、延在する
方向に対する幅Ｗ１及びＷ２を規定する二辺は、窓部６１６及び６２５の各々における、
延在部４０１ａ及び４０２ａが延在する方向に対する幅Ｗ３及びＷ４を規定する二辺の各
々の延長線の外側に位置する。よって、延在部４０１ａ及び４０２ａによって、窓部６１
６及び６２５に対応する画像表示領域３０ａの全面を殆ど或いは好ましくは完全に均一に
冷却することができる。
【００７３】
加えて、本実施形態では特に、延在部４０１ａ及び４０２ａは、液晶パネル５００にお
けるＦＰＣ５０１が取り付けられる側とは反対側に向かって延在している。即ち、延在部
４０１ａ及び４０２ａとＦＰＣ５０１とは液晶パネル５００に対して反対側に配置されて
いる。このため、延在部４０１ａ及び４０２ａによってＦＰＣ５０１の配置を妨げてしま
うことがないので、上述した液晶プロジェクタ１１００における液晶ライトバルブ１００
Ｒ、１００Ｇ及び１００Ｂとして液晶装置１が実装される際にも、容易に実装可能である
。
【００７４】
図３及び図４において、本実施形態では特に、透明基板４０１及び４０２は、ＴＦＴア
レイ基板１０及び対向基板２０にそれぞれ密着している。より具体的には、透明基板４０
１及び４０２は、ＴＦＴアレイ基板１０及び対向基板２０に、接着剤によってそれぞれ直
接貼り付けられている。よって、液晶装置１の動作時に発生する熱を、透明基板４０１及
び４０２を介して、速やかに液晶パネル５００から装置外部に逃がすことができる。尚、
透明基板４０１及び４０２を、ＴＦＴアレイ基板１０及び対向基板２０に貼り付ける際に
用いる接着剤としては、空気よりも熱伝導性に優れた接着剤が用いられてもよい。
【００７５】
更に、本実施形態では特に、透明基板４０１及び４０２は、サファイアガラスから形成
されている。よって、比較的熱伝導率の大きいサファイアを含んでなることから、より一
層、液晶パネル５００の放熱性を高めることができる。尚、透明基板４０１及び４０２を
、より一般的な材料である石英、ネオセラム等で構成してもよい。その場合にも、実装ケ
ース６０１の外側に延在する延在部４０１ａ及び４０２ａによる液晶パネル５００の放熱
性を高める効果は相応に得られる。
【００７６】
以上説明したように、本実施形態の液晶装置１によれば、液晶パネル５００の一部を構
成する部材である透明基板４０１及び４０２そのものを、その延在部４０１ａ及び４０２
ａを介して直接的に冷却することができるので、液晶パネル５００を効率的に冷却するこ
とができる。よって、動作時における温度上昇を効果的に抑制できるため、長期間に亘っ
て高品位の表示性能を維持できる。
【００７７】
尚、本実施形態では、透明基板４０１及び４０２のいずれもが延在部を有するように構
成したが、透明基板４０１だけが延在部を有するようにしてもよいし、透明基板４０２だ
けが延在部を有するようにしてもよい。いずれの場合にも、液晶パネル５００の温度上昇
を相応に抑制することができる。また、透明基板４０１及び４０２に替えて或いは加えて
、放熱性フィルムをＴＦＴアレイ基板１０又は対向基板２０の液晶層５０に対向する面と
は反対側の面設けて、上述の如き延在部を有するように構成してもよい。この場合にも、
液晶パネル５００の温度上昇を相応に抑制することができる。
＜第１変形例＞
図７に第１変形例として示すように、延在部４０１ａ及び４０２ａには、放熱フィン７
００を取り付けてもよい。ここに図７は、第１変形例における延在部上の構成を示す斜視
図である。
【００７８】
図７において、放熱フィン７００は、例えばアルミニウム等の熱伝導率の比較的高い金
属材料から形成されている。放熱フィン７００は、延在部４０１ａの延在部４０２ａに対
向する面とは反対側の面と、延在部４０２ａの延在部４０１ａに対向する面とは反対側の
面との各々に取り付けられている。放熱フィン７００には、複数のフィン部７２０が一の
方向に夫々延びるように形成されている。放熱フィン７００は、複数のフィン部７２０が
夫々延びる一の方向と冷却風ＷＤの流れる方向とが概ね一致するように、延在部４０１ａ
及び４０２ａに取り付けられている。よって、複数のフィン部７２０間を冷却風ＷＤが吹
き抜けることによって、放熱フィン７００が効率的に冷却されることになる。従って、放
熱フィン７００によって、延在部４０１ａ及び４０２ａを効率的に冷却することができる
。この結果、液晶パネル５００の放熱性を、より一層、高めることができる。
＜第２変形例＞
図８に第２変形例として示すように、延在部４０１ａ及び４０２ａには、導電性テープ
８００を貼り付けてもよい。ここに図８は、第２変形例における延在部上の構成を示す斜
視図である。
【００７９】
図８において、導電性テープ８００は、空気よりも熱伝導率の高い例えば銅、アルミニ
ウム等の金属を含んでおり、延在部４０１ａ及び４０２ａの各々の表面を覆うように貼り
付けられている。よって、延在部４０１ａ及び４０２ａの放熱性に高めることができる。
従って、液晶パネル５００の放熱性を、より一層、高めることができる。
【００８０】
尚、液晶装置１が、図１を参照して上述した液晶プロジェクタ１１００等の電子機器に
実装される際には、導電性テープ８００を、延在部４０１ａ及び４０２ａの表面における
部分から電子機器を構成する筐体等の動作時であっても比較的低温な部品にまで延設して
もよい。この場合には、液晶パネル５００に発生する熱を、延在部４０１ａ及び４０２ａ
並びに導電性テープ８００を介して、液晶パネル５００から装置外部へ逃がすことが可能
となり、液晶パネル５００の放熱性を、より一層、高めることができる。
＜第３変形例＞
図９に第３変形例として示すように、延在部４０１ａ及び４０２ａには、ペルチェ素子
９００を設けてもよい。ここに図９は、第３変形例における延在部上の構成を示す斜視図
である。
【００８１】
図９において、ペルチェ素子９００は、延在部４０１ａの延在部４０２ａに対向する面
とは反対側の面と、延在部４０２ａの延在部４０１ａに対向する面とは反対側の面との各
々にその冷却側（或いは低温側）の面が面するように取り付けられている。ペルチェ素子
９００の放熱側（或いは高温側）の面には、例えばアルミニウム等の金属からなる放熱フ
ィン９２０が設けられている。ペルチェ素子９００にはリード線９１０が設けられており
、ペルチェリード線９１０を介して電圧が印加可能に構成されている。よって、液晶装置
１の動作時に、ペルチェ素子９００に電圧を印加することで、ペルチェ素子９００により
延在部４０１ａ及び４０２ａを冷却することができる。よって、延在部４０１ａ及び４０
２ａを、より一層、効率的に冷却することができる。従って、液晶パネル５００の放熱性
を、より一層、高めることができる。
＜第２実施形態＞
次に、第２実施形態に係る液晶装置について、図１０及び図１１を参照して説明する。
ここに図１０は、第２実施形態における図３と同趣旨の断面図である。図１１は、第２実
施形態における図４と同趣旨の分解斜視図である。尚、図１０及び図１１において、図１
から図６に示した第１実施形態に係る構成要素と同様の構成要素に同一の参照符合を付し
、それらの説明は適宜省略する。
【００８２】
図１０及び図１１に示すように、本実施形態に係る液晶装置２は、液晶パネル５２０を
備える。液晶パネル５２０は、ＴＦＴアレイ基板１０が延在部１０ａを有している点、対
向基板２０が延在部２０ａを有している点、及び上述した第１実施形態に係る液晶パネル
５００における透明基板４０１及び４０２を有していない点で、上述した第１実施形態に
係る液晶パネル５００と異なり、その他の点では、上述した第１実施形態に係る液晶パネ
ル５００と概ね同様に構成されている。
【００８３】
図１０及び図１１において、本実施形態では特に、ＴＦＴアレイ基板１０は、実装ケー
ス６０１に包囲された部分から実装ケース６０１の外側に向かって延在する延在部１０ａ
を有している。更に、対向基板２０は、ＴＦＴアレイ基板１０と同様に、実装ケース６０
１に包囲された部分から実装ケース６０１の外側に向かって延在する延在部２０ａを有し
ている。よって、延在部１０ａ及び２０ａを冷却することにより、液晶装置本体５２０の
一部を構成するＴＦＴアレイ基板１０及び対向基板２０を直接的に冷却することができる
。従って、液晶装置２の動作時に、強力な光源の投射光により、ＴＦＴアレイ基板１０、
対向基板２０等の画像表示領域３０ａに発生する熱を、透明基板４０１及び４０２を介し
て、速やかに液晶パネル５２０から装置外部に逃がすことが可能となる。言い換えれば、
液晶装置２の外部に設けられた、例えば図１を参照して上述したシロッコファン１３００
の如き冷却装置からの冷却風によって、液晶パネル５２０の一部を構成するＴＦＴアレイ
基板１０及び対向基板２０を、その延在部１０ａ及び２０ａを介して、直接的に冷却でき
る。よって、仮に実装ケース６０１を介して液晶パネル５２０を間接的に冷却する場合と
比較して、液晶パネル５２０の温度上昇を効果的に抑制できる。従って、温度上昇に伴っ
て生じる液晶装置２の表示性能の低下を効果的に抑制できる。
【００８４】
尚、本実施形態では、ＴＦＴアレイ基板１０及び対向基板２０のいずれもが延在部を有
するように構成したが、ＴＦＴアレイ基板１０だけが延在部を有するようにしてもよいし
、対向基板２０だけが延在部を有するようにしてもよい。いずれの場合にも、液晶パネル
５２０の温度上昇を相応に抑制することができる。
【００８５】
本発明は、上述した実施形態に限られるものではなく、請求の範囲及び明細書全体から
読み取れる発明の要旨或いは思想に反しない範囲で適宜変更可能であり、そのような変更
を伴う電気光学装置、及び該電気光学装置を備えてなる電子機器もまた本発明の技術的範
囲に含まれるものである。尚、上記実施形態では、一例として液晶パネルを備えた液晶ラ
イトバルブについて説明したが、本発明に係る電気光学装置は、電気光学パネルとして、
液晶パネル以外にエレクトロルミネッセンス装置、電気泳動装置、電子放出素子を利用し
た表示装置（Field Emission Display及びSurface-Conduction Electron-Emitter Displa
y）等の各種の表示装置を備えていてよい。また、そのような電気光学装置を備える本発
明の電子機器は、投射型だけでなく反射型のプロジェクタであってよく、その他にもテレ
ビジョン受像機、携帯電話、電子手帳、ワードプロセッサ、ビューファインダ型又はモニ
タ直視型のビデオテープレコーダ、ワークステーション、テレビ電話、ＰＯＳ端末、タッ
チパネルなどの各種の電子機器を実現できる。
【図面の簡単な説明】
【００８６】
【図１】第１実施形態に係る液晶プロジェクタの図式的断面図である。
【図２】第１実施形態に係る液晶パネルの平面図である。
【図３】図２のＨ−Ｈ´線断面図である。
【図４】第１実施形態に係る液晶装置の分解斜視図である。
【図５】第１実施形態に係る液晶装置の平面図である。
【図６】第１実施形態に係る液晶プロジェクタの液晶ライトバルブの拡大斜視図である。
【図７】第１変形例における延在部上の構成を示す斜視図である。
【図８】第２変形例における延在部上の構成を示す斜視図である。
【図９】第３変形例における延在部上の構成を示す斜視図である。
【図１０】第２実施形態における図３と同趣旨の断面図である。
【図１１】第２実施形態における図４と同趣旨の分解斜視図である。
【符号の説明】
【００８７】
１０…ＴＦＴアレイ基板、１０ａ、２０ａ…延在部、９ａ…画素電極、２０…対向基板
、２１…対向電極、２３…遮光膜、３０ａ…画像表示領域、５０…液晶層、５２…シール
材、１０１…データ線駆動回路、１０２…外部回路接続端子、１０４…走査線駆動回路、
４０１、４０２…透明基板、４０１ａ、４０２ａ…延在部、５００、５２０…液晶パネル
、５０１…ＦＰＣ、６０１…実装ケース、６１９…切欠部、７００…放熱フィン、８００
…導電性テープ、９００…ペルチェ素子
【図１】
2007279626.tif 000003
【図２】
2007279626.tif 000004
【図３】
2007279626.tif 000005
【図４】
2007279626.tif 000006
【図５】
2007279626.tif 000007
【図６】
2007279626.tif 000008
【図７】
2007279626.tif 000009
【図８】
2007279626.tif 000010
【図９】
2007279626.tif 000011
【図１０】
2007279626.tif 000012
【図１１】
2007279626.tif 000013